(57)【特許請求の範囲】
【請求項１】
複数の映像を画面に表示するマルチ画面モードを有する映像処理装置に接続された映像出力装置であって、
前記映像処理装置へ出力した映像信号に基づく映像の表示状態を示す出力状態情報を前記映像処理装置から取得する取得手段と、
前記取得手段が取得した前記出力状態情報に基づき、前記映像処理装置へ出力した映像信号に基づく映像が前記マルチ画面モードで表示されているか否かを判断する判断手段と、
前記判断手段の判断結果に基づき、前記映像処理装置へ出力した映像信号に基づく映像がマルチ画面モードで表示されている場合には、前記映像出力装置の所定の状態を示す機器情報を、前記映像処理装置へ出力する映像信号に基づく映像に合成せずに前記映像処理装置に送信し、
前記映像処理装置へ出力した映像信号に基づく映像がマルチ画面モードで表示されていない場合には、前記映像出力装置の所定の状態を示す機器情報を、前記映像処理装置へ出力する映像信号に基づく映像に合成した合成映像信号を前記映像処理装置に送信する送信手段と、を有することを特徴とする映像出力装置。
【請求項２】
前記判断手段の判断結果に基づき、前記映像処理装置へ出力した映像信号に基づく映像が所定の画面数より多いマルチ画面モードで表示されている場合には、前記機器情報を前記映像処理装置へ出力する映像信号に基づく映像に合成せずに前記映像処理装置に送信し、前記映像処理装置へ出力した映像信号に基づく映像が所定の画面数以下のマルチ画面モードで表示されている場合には、前記合成映像信号を前記映像処理装置に送信することを特徴とする請求項１記載の映像出力装置。
【請求項３】
複数の映像を画面に表示するマルチ画面モードを有する映像処理装置に接続された映像出力装置であって、
前記映像処理装置へ出力した映像信号に基づく映像の表示状態を示す出力状態情報を前記映像処理装置から取得する取得手段と、
前記取得手段が取得した前記出力状態情報に基づき、前記映像処理装置へ出力した映像信号に基づく映像の表示領域の面積が所定値未満であるか否かを判断する判断手段と、
前記判断手段の判断結果に基づき、前記出力状態情報が、前記映像処理装置へ出力した映像信号に基づく映像の表示領域の面積が所定値未満であることを示す場合には、前記映像出力装置の状態を示す機器情報を、前記映像処理装置へ出力する映像信号に基づく映像に合成せずに前記映像処理装置に送信し、
前記出力状態情報が、前記映像処理装置へ出力した映像信号に基づく映像の表示領域の面積が所定値以上であることを示す場合には、前記映像出力装置の所定の状態を示す機器情報を、前記映像処理装置へ出力する映像信号に基づく映像に合成した合成映像信号を前記映像処理装置に送信する送信手段と、を有することを特徴とする映像出力装置。
【請求項４】
前記映像処理装置と前記映像出力装置とは、デジタルインターフェイスを介した通信ラインにより接続されており、前記機器情報を前記映像処理装置へ出力する映像信号に基づく映像に合成せずに前記映像処理装置に送信する場合に、前記送信手段は、前記機器情報と前記映像処理装置へ出力する映像信号に基づく映像とを異なる通信ラインにより送信することを特徴とする請求項１乃至３のいずれか一項に記載の映像出力装置。
【請求項５】
複数の映像を画面に表示するマルチ画面モードを有する映像処理装置に接続された映像出力装置の制御方法であって、
前記映像処理装置へ出力した映像信号に基づく映像の表示状態を示す出力状態情報を前記映像処理装置から取得する取得ステップと、
前記取得ステップが取得した前記出力状態情報に基づき、前記映像処理装置へ出力した映像信号に基づく映像が前記マルチ画面モードで表示されているか否かを判断する判断ステップと、
前記判断ステップの判断結果に基づき、前記映像処理装置へ出力した映像信号に基づく映像がマルチ画面モードで表示されている場合には、前記映像出力装置の所定の状態を示す機器情報を、前記映像処理装置へ出力する映像信号に基づく映像に合成せずに前記映像処理装置に送信し、
前記映像処理装置へ出力した映像信号に基づく映像がマルチ画面モードで表示されていない場合には、前記映像出力装置の所定の状態を示す機器情報を、前記映像処理装置へ出力する映像信号に基づく映像に合成した合成映像信号を前記映像処理装置に送信する送信ステップと、を有することを特徴とする映像出力装置の制御方法。
【請求項６】
複数の映像を画面に表示するマルチ画面モードを有する映像処理装置に接続された映像出力装置の制御方法であって、
前記映像処理装置へ出力した映像信号に基づく映像の表示状態を示す出力状態情報を前記映像処理装置から取得する取得ステップと、
前記取得ステップが取得した前記出力状態情報に基づき、前記映像処理装置へ出力した映像信号に基づく映像の表示領域の面積が所定値未満であるか否かを判断する判断ステップと、
前記判断ステップの判断結果に基づき、前記出力状態情報が、前記映像処理装置へ出力した映像信号に基づく映像の表示領域の面積が所定値未満であることを示す場合には、前記映像出力装置の状態を示す機器情報を、前記映像処理装置へ出力する映像信号に基づく映像に合成せずに前記映像処理装置に送信し、
前記出力状態情報が、前記映像処理装置へ出力した映像信号に基づく映像の表示領域の面積が所定値以上であることを示す場合には、前記映像出力装置の所定の状態を示す機器情報を、前記映像処理装置へ出力する映像信号に基づく映像に合成した合成映像信号を前記映像処理装置に送信する送信ステップと、を有することを特徴とする映像出力装置の制御方法。
【発明の詳細な説明】
【技術分野】
【０００１】
本発明は、映像機器や録画機器などの映像出力装置及び映像出力装置と接続されたテレビ受信機などの映像処理装置に関し、詳しくは映像処理装置での表示状態により異なるデータを出力する映像出力装置に関する。
【背景技術】
【０００２】
近年、テレビ受信機などに代表される映像処理装置は多機能化する傾向にある。例えば、複数の画面を同時に表示させることができるＰｉｎＰ（Ｐｉｃｔｕｒｅ  ｉｎ  Ｐｉｃｔｕｒｅ）やマルチ画面表示などの搭載が一般化してきている。
【０００３】
また近年では、テレビ受信機やビデオレコーダ、ビデオ再生装置などのＡＶ機器がデジタル化し、これらの機器同士でデジタル信号による通信を行う構成が広く普及している。
【０００４】
例えば、ＩＥＥＥ１３９４方式（デジタル通信制御バス）を用いたネットワークを介して、テレビ受信機やカムコーダなどのＡＶ機器同士を接続し画像・音声データを送受信する構成がすでに普及している。
【０００５】
ＩＥＥＥ１３９４方式では、ＡＶ／Ｃコマンド（ＡＶ／Ｃ  Ｃｏｍｍａｎｄ  Ｔｒａｎｓａｃｔｉｏｎ  Ｓｅｔ）と呼ばれる制御命令体系が用意されている。これは、映像・音声信号とは独立に機器制御のための情報を送受信することを目的としたものである。
【０００６】
ＡＶ／Ｃコマンドには、例えばビデオ再生装置などに「再生」・「停止」などの機器制御コマンドを送る機能が備わっており、ネットワークに接続されているＡＶ機器を遠隔制御することが可能である。
【０００７】
またＨＤＭＩ方式（Ｈｉｇｈ  Ｄｅｆｉｎｉｔｉｏｎ  Ｍｕｌｔｉｍｅｄｉａ  Ｉｎｔｅｒｆａｃｅ）が近年普及してきている。ＨＤＭＩ方式は、一本のケーブルで映像・音声・制御の各信号を送受信することが可能で、かつ機器間の中継機能もあり１台で複数台の機器制御も可能である。
【０００８】
ところで、テレビ受信機の表示状態が、ＰｉｎＰやマルチ画面などの表示形態をとっている場合に、ビデオ再生装置など外部機器から出力された映像信号が、外部機器側が意図した出力にならないことがある。
【０００９】
下記特許文献１には、表示装置のアスペクト比が４：３か１６：９かにより外部機器側で合成を行うＯＳＤ表示位置を切り換えることが開示されている。これによりアスペクト比の違いにより必要なＯＳＤ表示が切れて完全に表示できないような状態を防止している。
【００１０】
また、下記特許文献２では、複数画面を同時出力可能な表示装置において、外部機器側から表示装置側に対して適切な出力表示を設定できるようにしている。これにより、外部機器側が意図した出力を行うことが可能となっている。
【特許文献１】特開２００１−２５７９７０号公報
【特許文献２】特開２００３−１１０９６１号公報
【発明の開示】
【発明が解決しようとする課題】
【００１１】
映像出力装置が自身の出力する映像上にユーザに対して何らかの情報を伝えるためのダイアログを合成して合成映像信号を出力する場合がある。この時、映像処理装置がＰｉｎＰやマルチ画面などで小さい領域に映像出力装置からの信号を出力していた場合、映像出力装置からの映像信号に合成されたダイアログは非常に小さく表示されるため、ユーザが見落とす可能性が高い。
【００１２】
図３は、ＰｉｎＰの表示例を示したものである。テレビ受信機１０１の全画面５０１にＰｉｎＰでの親画面が表示されている。子画面５０３に映像出力装置からの出力が表示されている。
【００１３】
図４は同じくＰｉｎＰの表示例を示したものであるが、映像出力装置からのダイアログ表示５０５が出力されている。このように子画面５０３に映像出力装置からの出力が成されている場合は、ダイアログ５０５が小さく表示されるため、ユーザが見落とす可能性が高い。
【００１４】
また、ダイアログ５０５のような機器情報を外部接続された映像出力装置から提示する場合、映像出力装置側から映像処理装置装置を操作して出力状態を切り換える構成も考えられる。しかしながら、映像出力装置が自動的に判断して出力状態を切り換えることはユーザの意図したものではなく、ユーザの利便性を下げることがある。
【課題を解決するための手段】
【００１５】
本発明は、映像処理装置と外部接続可能な映像出力装置であって、
前記映像出力装置から出力した映像信号に基く映像表示状態を示す出力状態情報を前記映像処理装置から入力する出力状態取得部と、
前記出力状態情報に基いて、前記映像出力装置の機器情報と前記機器情報に係わる映像信号とを選択して前記映像処理装置に送信する制御部とを有することを特徴とする。
【発明の効果】
【００１６】
本発明によれば、ユーザに通知すべき映像出力装置の機器情報が、映像処理装置の表示状態に応じて適切な大きさで表示されるので、ユーザの視認性が向上する。
【発明を実施するための最良の形態】
【００１７】
以下図面を参照しながら本発明の実施形態を説明する。
【実施例１】
【００１８】
図１、２は、それぞれ本発明の映像処理装置に相当するテレビ受信機１０１及びテレビ受信機１０１に接続された映像出力装置に相当するＨＤＤレコーダ１０３の概念図及びブロック図である。
【００１９】
ＨＤＤレコーダ１０３とテレビ受信機１０１は互いに外部接続可能である。
【００２０】
テレビ受信機１０１は、テレビ放送の表示のほかにＨＤＭＩケーブル１０５経由でＨＤＤレコーダ１０３から送信される映像信号にもとづく映像を、映像音声出力部２１５に接続された表示部に表示させる。また、ＨＤＭＩケーブル１０５は映像通信ラインの他に、テレビ受信機１０１からＨＤＤレコーダ１０３を操作するための制御通信ライン（ＣＥＣライン）も内包している。
【００２１】
チューナ部２０１は、放送波として送信されるテレビ信号を受信する。デコーダ部２０５は、テレビ信号から映像音声信号を復号する。デジタルインターフェイスである外部ＩＦ部２１７は、ＨＤＭＩケーブル１０５を介して送信される映像音声信号を受信する。入力切換部２１１は、放送波からの信号と外部ＩＦ部２１７からの信号を選択的に切り換えて映像音声合成部へ出力する。
【００２２】
映像音声合成部２１３は、入力切換部２１１からの映像音声信号にＥＰＧ生成部２０９や外部ＩＦ部２１７からのＨＤＤレコーダ１０３の出力信号を合成して出力する。映像音声出力部２１５は、映像・音声合成部で合成された映像音声信号を表示装置に出力する。
【００２３】
制御部２２３は、リモコン受信部２２１から得たユーザ操作情報などによりテレビ受信機１０１全体の制御を行う。
【００２４】
ＨＤＤレコーダ１０３は以下の動作を行う。外部ＩＦ部３０５は、ＨＤＭＩケーブル１０５経由でコンテンツ再生部３０３からのコンテンツの映像音声信号をテレビ受信機１０１に送信する。出力状態取得部３０７は、テレビ受信機１０１の映像・音声出力部２１５の出力状態情報を出力状態送信部２１９から取得する。出力状態情報は、ＨＤＤレコーダ１０３から出力された映像信号に基く映像の表示状態を表す情報である。
【００２５】
情報伝達方法判断部３０９は、出力状態取得部３０７から出力されるテレビ受信機１０１の映像・音声出力部２１５の出力状態情報に基づき、以下の判断を行う。即ち、ＨＤＤレコーダ１０３がユーザに提示すべき機器情報をコンテンツ再生部３０３で映像・音声信号に合成するかまたはその情報をＨＤＭＩ制御ラインでテレビ受信機１０１へ送信するかを判断する。
【００２６】
制御部３１３は、リモコン受信部３１１から得たユーザ操作情報などによりＨＤＤレコーダ１０３全体の制御を行う。
【００２７】
図６はテレビ受信機１０１とＨＤＤレコーダ１０３間の制御信号の通信タイミングを示したタイミングチャートである。この信号はＨＤＭＩケーブル１０５の制御ラインを通じて行われる。
【００２８】
ステップ（図中はＳで表記、以下同様）１０１では、ＨＤＤレコーダ１０３からの出力映像５０３が全画面表示されていることを示す出力状態情報がテレビ受信機１０１から送られている。出力映像は、ＨＤＤレコーダで録画された映像や、処理メニュー、ＥＰＧ等である。
【００２９】
ユーザの操作によりＰｉｎＰの子画面５０３内に、ＨＤＤレコーダ１０３からの出力映像が表示されるように切り換えられた場合、ステップ１０３のように子画面表示となったことを示す出力状態情報がＨＤＤレコーダ１０３へ送られる。ＨＤＤレコーダ１０３では、ステップ１０１で出力状態情報を受信してからステップ１０３で出力状態情報を受信するまでの区間では、ＨＤＤレコーダ１０３の機器情報はＨＤＤレコーダ側でダイアログ情報として装置内でダイアログ映像信号を合成して出力する。
【００３０】
機器情報とは、ＨＤＤレコーダ１０３のディスク容量の状態や、電源のオン・オフ状態、ウエイト状態等のステイタスを示す情報である。
【００３１】
一方で、テレビ受信機１０１よりステップ１０３で出力状態情報を受信した後は、ＨＤＤレコーダ１０３では機器情報をＨＤＭＩケーブル１０５の制御ラインによりテレビ受信機１０１に送信する。
【００３２】
テレビ受信機１０１側においては機器情報を受信したとき、図５のように出力映像５０３とは異なる位置にダイアログ５０７として表示する。図７はＨＤＤレコーダ１０３内の情報伝達方法判断部３０９で行われる処理のフローチャートである。本処理の開始タイミングは、ＨＤＤレコーダ１０３の制御部３１３内にユーザに対して機器情報を提示する要求が発生した場合となる。
【００３３】
本処理開始後、ステップ（図中はＳで表記、以下同様）２０１が実行される。ステップ２０１では、テレビ受信機１０１から出力状態情報を受信しているか否かで処理を分岐させている。もし受信している場合には処理をステップ２０５に飛ばし、またもし受信していない場合には処理をステップ２０３に進む。
【００３４】
ステップ２０３においては、ＨＤＭＩケーブル１０５の制御ラインを通じて、テレビ受信機１０１の出力状態を問い合わせる処理を呼び出している。テレビ受信機１０１の出力状態情報を取得した後、処理をステップ２０５へと進める。
【００３５】
ステップ２０５においては、ＨＤＤレコーダ１０３から出力される出力映像が、テレビ受信機１０１での映像表示状態としてマルチ画面モードで表示されているか否かで処理を分岐させている。マルチ画面モードは、「二画面モード（Ｐ  ａｎｄ  Ｐ）」や「子画面モード（Ｐ  ｉｎ  Ｐ）」などである。テレビ受信機１０１での表示状態がマルチ画面モードである場合は、処理をステップ２０７に進める。テレビ受信機１０１での表示状態がマルチ画面モードでなければステップ２０９に進める。
【００３６】
ここでは、２画面モードか否かによって処理を分岐したが、本発明の趣旨によれば、ダイアログ５０７が視認性よく表示されればよいので、ＨＤＤレコーダ１０３からの出力映像の映像の大きさに基いて、処理を分岐してもよい。出力映像の面積が所定量以上のときは、ステップ２０９へ、所定量より少ないときはステップ２０７へ進めることもできる。
【００３７】
ステップ２０７において、ＨＤＤレコーダ１０３からＨＤＭＩケーブル１０５の制御ラインを通じて機器情報を、テレビ受信機１０１に送信する設定を行い、ステップ２１１に進む。
【００３８】
ステップ２０９においては、ＨＤＤレコーダ１０３の機器情報を、コンテンツ再生部３０３において出力映像に合成する。機器情報に係わる映像信号である機器情報映像信号５０５と、出力映像信号５０３の合成画像信号をテレビ受信機１０１に送信する設定を行う。ステップ２１１においては、機器情報をステップ２０７またはステップ２０９で行った設定に基づいて、出力処理を行う。
【００３９】
本実施例においては、ＨＤＤレコーダ１０３からの出力映像を表示部でＰｉｎＰモードの子画面５０３内に表示した例を示した。しかし、マルチ画面の１つにＨＤＤレコーダ１０３からの映像音声信号を出力している場合においても処理は同様に行われる。
【実施例２】
【００４０】
実施例２は、４画面のマルチ画面表示を行う場合の動作についての例である。表示部映像処理装置に相当するテレビ受信機１０１及びテレビ受信機１０１に接続された映像出力装置に相当するＨＤＤレコーダ１０３の概念図及びブロック図は実施例１と同じである。図８は、テレビ受信機１０１における４画面のマルチ画面モードの映像表示例を示したものである。表示部の全画面５０１に、テレビ受信装置１０１のチューナー部２０１から出力される映像音声信号に基く映像とＨＤＤレコーダ１０３から出力される映像音声信号に基く映像がそれぞれ子画面５１１に表示されている。また、ＨＤＤレコーダ１０３からの出力映像信号の映像が、子画面５１３に表示されている。図４で示した例と同様に、マルチ画面モードでＨＤＤレコーダ１０３からの出力映像の映像内に、機器情報のダイアログを表示しても、ユーザの視認性は良いとは言えない。特にマルチ画面で同時に表示する画面の数が増加すれば、ユーザの視認性は低下する。
【００４１】
図９は、ダイアログ５１５が、情報送信元であるＨＤＤレコーダ１０３の表示領域である子画面５１３の直下に表示された例を示している。ダイアログと子画面の対応関係を直感的に分からせる位置に表示している。
【００４２】
図１０は、ＨＤＤレコーダ内の情報伝達方法判断部で行われる情報伝達処理のフローチャートである。本処理の開始タイミングは、ＨＤＤレコーダ１０３の制御部３１３内にユーザに対して機器情報を提示する要求が発生した場合となる。
【００４３】
本処理開始後、ステップ３０１が実行される。ステップ３０１では、テレビ受信機１０１から出力状態情報を受信しているか否かで処理を分岐させている。もし受信している場合には処理をステップ３０５に飛ばし、またもし受信していない場合には処理をステップ３０３に進む。
【００４４】
ステップ３０３においては、ＨＤＭＩケーブル１０５の制御ラインを通じて、テレビ受信機１０１の出力状態を問い合わせる処理を呼び出している。テレビ受信機１０１のマルチ画面表示状態の情報を取得した後、処理をステップ３０５へと進める。
【００４５】
ステップ３０５においては、ＨＤＤレコーダ１０３から出力される出力映像がテレビ受信機１０１でのマルチ画面表示状態で表示している画面数により処理を分岐させている。すなわち、テレビ受信機１０１のマルチ画面表示の画面数が閾値Ｎ（但し、Ｎは正数）より多いときは処理をステップ３０７へ進める。またもし、画面数が閾値Ｎ以下（所定の画面数以下）であれば処理をステップ３０９へ進める。
【００４６】
ステップ３０７においては、ＨＤＤレコーダ１０３からＨＤＭＩケーブル１０５の制御ラインを通じて機器情報を送る設定を行い、ステップ３１１に進む。
【００４７】
ステップ３０９においては、ＨＤＤレコーダ１０３からの機器情報をＨＤＤレコーダ１０３のコンテンツ再生部３０３において機器情報映像信号を合成出力して、テレビ受信機１０１で表示する設定を行う。
【００４８】
ステップ３１１においては、機器情報をステップ３０７またはステップ３０９で行った設定に基づいて、出力処理を行う。
【００４９】
テレビ受信機１０１でのマルチ画面表示の画面数に応じて、機器情報をＨＤＤレコーダ１０３の出力映像信号に合成して出力するか、機器情報を送信し、テレビ受信機１０１側で合成表示するかを判断している。
【実施例３】
【００５０】
実施例３は、ＨＤＤレコーダ１０３を操作した際に発せられる操作音に関する。
【００５１】
映像処理装置に相当するテレビ受信機１０１及びテレビ受信機１０１に接続された映像出力装置に相当するＨＤＤレコーダ１０３の概念図及びブロック図は実施例１と同じである。
【００５２】
図３に示すＰｉｎＰでの子画面に対応する音声は、通常出力されない。このため、ＨＤＤレコーダ１０３からユーザの操作に対応するビープ音（操作音）や警告音は、ＨＤＤレコーダ１０３から音声信号に合成されて出力されたとしても、テレビ受信機１０１からは出力されない。
【００５３】
図１１は、ＨＤＤレコーダ１０３内の情報伝達方法判断部３０９で行われる操作情報伝達処理のフローチャートである。本処理の開始タイミングは、ＨＤＤレコーダ１０３に対するユーザ操作情報をリモコン受信部３１１で受信したときである。
【００５４】
ステップ４０１では、テレビ受信機１０１から出力状態情報を受信しているか否かで処理を分岐させている。もし受信している場合には処理をステップ４０５に飛ばし、またもし受信していない場合には処理をステップ４０３に進む。
【００５５】
ステップ４０３においては、ＨＤＭＩケーブル１０５の制御ラインを通じて、テレビ受信機１０１の出力状態を問い合わせる処理を呼び出している。テレビ受信機１０１の出力状態の情報を取得した後、処理をステップ４０５へと進める。
【００５６】
ステップ４０５においては、ＨＤＤレコーダ１０３から出力される出力映像がテレビ受信機１０１での表示状態として「二画面モード」または「子画面モード」などのマルチ画面モードで表示されているか否かで処理を分岐させている。テレビ受信機１０１での表示状態がマルチ画面モードである場合は、処理をステップ４０７に進める。またもしテレビ受信機１０１での表示状態がマルチ画面モードでなければステップ４０９に進める。
【００５７】
ステップ４０７においては、ＨＤＤレコーダ１０３からＨＤＭＩケーブル１０５の制御ラインを通じて機器情報を送る設定を行い、ステップ４１１に進む。
【００５８】
ステップ４０９においては、ＨＤＤレコーダ１０３からの機器情報を、ＨＤＤレコーダ１０３のコンテンツ再生部３０３において機器情報映像信号及び操作音情報を合成出力して、テレビ受信機１０１で表示する設定を行う。ステップ４１１においては、ユーザの操作情報をステップ４０７またはステップ４０９で行った設定に基づいて、出力処理を行う。
【００５９】
もし、上記フローがステップ４０７を通って実行されたときには、ＨＤＭＩケーブル１０５経由で受信したユーザ操作情報に基づき、テレビ受信機１０１の映像・音声合成部２１３で操作音が合成されて、テレビ受像機１０１から出力される。
【００６０】
以上説明したように、本発明においては、ＨＤＤレコーダ１０３から出力された出力映像信号（録画映像や処理メニュー、ＥＰＧ等）がテレビ受信機１０１の表示部でどのように表示されているかにより、ＨＤＤレコーダは異なるデータを送信する。即ち、制御部３１３の制御により、出力映像信号が１画面で表示されている場合には、ダイアログ映像信号と出力映像信号とを合成した合成映像信号を映像通信ラインで出力する。またテレビ受信機１０１で受信した受信映像信号とマルチ画面表示されている場合には、合成映像信号ではなくダイアログ情報を制御通信ラインで送信する。そしてダイアログの映像音声信号はテレビ受信機で生成され、受信映像信号と合成されて表示部で表示される。
【図面の簡単な説明】
【００６１】
【図１】本発明の表示制御システム全体を示した概念図である。
【図２】本発明の映像出力装置及び映像処理装置のブロック図である。
【図３】テレビ受信機におけるＰｉｎＰの表示例を示した図である。
【図４】従来のテレビ受信機におけるＰｉｎＰの表示例を示した図である。
【図５】テレビ受信機におけるダイアログの表示例を示した図である。
【図６】テレビ受信機とＨＤＤレコーダ間の通信のタイミングチャートである。
【図７】ＨＤＤレコーダの情報伝達処理のフローチャートである。
【図８】テレビ受信機における４画面マルチ画面モードの表示例を示した図である。
【図９】テレビ受信機におけるダイアログの表示例を示した図である。
【図１０】ＨＤＤレコーダの情報伝達処理のフローチャートである。
【図１１】ＨＤＤレコーダの操作情報伝達処理のフローチャートである。
【符号の説明】
【００６２】
１０１  テレビ受信機
１０３  ＨＤＤレコーダ
１０５  ＨＤＭＩケーブル
２１１  入力切換部
２１５  映像・音声出力部
２１９  出力状態送信部
３０１  コンテンツ蓄積部
３０３  コンテンツ再生部
５０１  全画面
５０３  ＰｉｎＰの子画面
５０７  ダイアログ
【図１】
0005094235.tif 000002
【図２】
0005094235.tif 000003
【図３】
0005094235.tif 000004
【図４】
0005094235.tif 000005
【図５】
0005094235.tif 000006
【図６】
0005094235.tif 000007
【図７】
0005094235.tif 000008
【図８】
0005094235.tif 000009
【図９】
0005094235.tif 000010
【図１０】
0005094235.tif 000011
【図１１】
0005094235.tif 000012